(57)【要約】【課題】  車内に入射する光を遮光する遮光手段を備えた車載用表示装置を提供する。【解決手段】  車載用表示装置において、遮光手段と、表示手段と、該表示手段に入射する外光の照度を検出する外光検出手段と、外光の照度の閾値を記憶した記憶手段と、前記外光検出手段で検出された外光の照度と、前記記憶手段に記憶された外光の照度の閾値とを比較する外光比較手段と、該外光比較手段により、前記外光検出手段で検出された外光の照度が前記記憶手段に記憶された外光の照度の閾値を超えたことが検出されると、前記遮光手段を突出させる制御手段と、を備えた。【選択図】  図１
2008087520.tif 000002
【特許請求の範囲】
【請求項１】
角度調整可能な表示手段と、該表示手段近傍の照度を検出する外光検出手段と、突出および収納自在に設けられ前記表示手段の上方より入射される外光を遮光する遮光手段と、前記外光検出手段により所定以上の照度が検出されると前記遮光手段を収納位置から突出位置へ突出させる制御手段と、を備えた車載用表示装置において、
前記制御手段は、前記外光検出手段により所定以上の照度が検出されると前記遮光手段を収納位置から突出位置へ突出させると共に前記表示手段の角度調節を行うことを特徴とする車載用表示装置。
【請求項２】
前記外光検出手段は前記表示手段の近傍の複数個所の照度を検出し、前記前記制御手段は、複数個所の照度に応じて前記遮光手段の突出幅および前記表示手段の角度調整を行うことを特徴とする請求項１に記載の車載用表示装置。
【発明の詳細な説明】
【技術分野】
【０００１】
本発明は車載用表示装置に関する。
【背景技術】
【０００２】
例えば、自動車用ディスプレイ装置において、ディスプレイの上部にひさし状に突出する、突出・収納自在な遮光用フードを設け、ディスプレイ周辺の明るさを検出する光センサにより検出された明るさが所定値より明るくなったとき、遮光用フードを収納位置から遮光位置に自動的に突出させることが記載されている(特許文献１)。
【特許文献１】実開昭５８−６０５４２号公報
【発明の開示】
【発明が解決しようとする課題】
【０００３】
特許文献１に記載の発明では、光センサにより検出された明るさが所定値より明るくなったときに遮光用フードを突出させるため、突出した遮光用フードでディスプレイが見づらくなるという問題が生じた。
【課題を解決するための手段】
【０００４】
本願発明は上記問題に鑑みなされたもので、角度調整可能な表示手段と、該表示手段近傍の照度を検出する外光検出手段と、突出および収納自在に設けられ前記表示手段の上方より入射される外光を遮光する遮光手段と、前記外光検出手段により所定以上の照度が検出されると前記遮光手段を収納位置から突出位置へ突出させる制御手段と、を備えた車載用表示装置において、
前記制御手段は、前記外光検出手段により所定以上の照度が検出されると前記遮光手段を収納位置から突出位置へ突出させると共に前記表示手段の角度調節を行うことを特徴とする。
【０００５】
また、前記外光検出手段は前記表示手段の近傍の複数個所の照度を検出し、前記前記制御手段は、複数個所の照度に応じて前記遮光手段の突出幅および前記表示手段の角度調整を行うことを特徴とする。
【発明の効果】
【０００６】
本願発明の車載用表示装置は、車載用表示装置に備えた遮光手段をディスプレイの上部に突出させることで入射する太陽光を遮光でき、更に、遮光手段を突出させると同時に自動的にディスプレイの角度をユーザの目線の位置へ角度調節を行うことで、突出した遮光手段によりディスプレイが見づらくなるという問題をも解消される。
【発明を実施するための最良の形態】
【０００７】
本発明の車載用表示装置１０は、図１に示すように、制御手段１と、表示手段２と、入力手段３と、外光検出手段４と、記憶手段５と、外光比較手段６と、遮光手段７と、ＲＡＭ８と、ＲＯＭ９と、で構成されている。
【０００８】
制御手段１は、ＲＯＭ８に記憶された制御プログラムに基づき、車載用表示装置１０における各部の動作を制御する。
【０００９】
表示手段２は、車載用表示装置１０にて視聴するＴＶチューナ（図示せず）により受信したＴＶ画像、ＤＶＤ等を再生するプレーヤ（図示せず）により再生されたＤＶＤ画像等を表示する液晶ディスプレイからなり、制御手段１により制御されるモータ（図示せず）により図６に示す通り３段階に角度調節が可能である。
【００１０】
入力手段３は、本車載用表示装置１０に設けられ、ユーザの操作により車載用表示装置１０の各種機能の設定を入力するスイッチである。
【００１１】
なお、入力手段３は、スイッチの他に、表示手段２上に設けられたパネルに触れることで入力可能なタッチパネルとしてもよいし、リモコン（図示せず）を介して入力できるようにしてもよい。
【００１２】
外光検出手段４は、表示手段２の上方より入射される太陽光等の外光の照度を検出する例えば照度センサ等である。
【００１３】
記憶手段５は、外光比較手段６が外光検出手段４によって検出された外光の照度と比較するための外光の照度の閾値が記憶されている。
【００１４】
外光比較手段６は、外光検出手段４によって検出された外光の照度と、記憶手段５に記
憶された外光の照度の閾値との比較を行う。
【００１５】
遮光手段７は、制御手段１により制御モータ（図示せず）により本車載用表示装置１０内の収納部１１から突出・収納自在に設けられており、外光比較手段６により、外光検出手段４によって検出された外光の照度が記憶手段５に記憶された外光の照度の閾値より高いことが検出されると、制御手段１の制御により収納部１１から突出する。
【００１６】
なお、制御手段１は、外光検出手段４により検出された外光の入射角に基づき遮光手段７の突出幅を調節する。図２に示すように、外光検出手段４は、車載用表示装置１０の外枠部の上段、中段、下段(夫々順に外光検出手段４１、外光検出手段４２、外光検出手段４３)の３箇所に設けられており、例えば、図３に示すように、上段に設けられた外光検出手段４１によって検出された外光の照度のみが記憶手段５に記憶された閾値より大きいとき、すなわち表示手段２の上方にのみ外光が照射されている場合は、遮光手段７の突出幅が最短(ａ１)で外光は遮光される。
【００１７】
一方、外光検出手段４１、４２、４３の全てにおいて検出された外光の照度が
記憶手段５に記憶された閾値よりも大きいとき、すなわち表示手段２の全てに外光が照射されている場合は、遮光手段７の突出幅を最長(ａ３)とすることで外光が遮光される。
【００１８】
このとき、遮光手段７が最長に突出した状態(ａ３)ではユーザが表示手段２を見づらくなるという問題が起こるため、車載用表示装置１０では、図４に示すように制御手段１が遮光手段７の突出に伴って表示手段２をユーザの目線の位置である斜め上方向に角度調節することで遮光手段７の突出によって表示手段２が見づらくなるという問題を解消する。
【００１９】
このとき遮光手段７の突出幅によって表示手段２の角度調節を変化させるものとし、例えば、表示手段２の角度調節を３段階調節可能としたとき、図３に示す外光検出手段４１が検出した外光の照度が記憶手段５に記憶された外光の照度の閾値より高いときで、かつ外光検出手段４２と外光検出手段４３が外光を検出しなかったときは遮光手段７の突出幅が最短(ａ１)となっているので１段階角度調節を行い、外光検出手段４１と外光検出手段４２とが夫々検出した外光の照度が記憶手段に記憶された照度の閾値より高いときで外光検出手段４３が外光を検出しなかったときは、遮光手段７の突出幅が中間(ａ２)となっているので角度調節も２段階角度調節を行い、外光検出手段４１、４２、４３すべてが夫々検出した照度が記憶手段に記憶された外光の照度の閾値より高いときは遮光手段７が最も突出(ａ３)しているので角度調節も３段階の角度調節を行う。
【００２０】
ところで、車載用表示装置１０において表示手段２の角度を調節するときは、遮光手段７を突出させた状態で表示手段２の角度調節を行うと表示手段２の上部が遮光手段７に接触し、角度調節を行うことができない。
【００２１】
そこで本実施例では、遮光手段７を４枚の遮光板で構成し、遮光板を繋ぐ結合部１２ａ、１２ｂ、１２ｃを上方向への屈曲は可能であるが、下方向への屈曲は不可能な構造とし、表示手段２を上方向へ角度調節したとき、突出している遮光手段７を上方向へ屈曲可能な結合部が表示手段２に押し上げられる形で上方向へ屈曲可能となり表示手段２の角度調節を妨げない。
【００２２】
次に、本車載用表示装置１０における遮光手段７の突出・収納の制御動作を図５のフロー図を用いて説明する。
【００２３】
車載用表示装置１０において、電源が投入されると、まず、外光検出手段４１、４２、４３が夫々入射する外光の照度を検出する(ステップＳ１)。次に外光比較手段６により外光検出手段４１において検出された外光の照度が記憶手段５に記憶された外光の照度の閾値以上であるかを検出する(ステップＳ２)。ステップＳ２において、外光検出手段４１によって検出された外光の照度が記憶手段５に記憶された外光の照度の閾値以下であることが検出されると（ステップＳ２のＮ）、ステップ１の処理に戻り再度外光の検出を行う。
【００２４】
ステップＳ２において外光検出手段４１によって検出された外光の照度が記憶手段５に記憶された外光の照度の閾値以上であることが検出がされると（ステップＳ２のＹ）、次に外光比較手段６は外光検出手段４２において検出された外光の照度が記憶手段５に記憶された外光の照度の閾値以上であるかを検出する(ステップＳ３)。ステップＳ３において外光検出手段４２によって検出された外光の照度が記憶手段５に記憶された外光の照度の閾値以下であることが検出がされると（ステップＳ３のＮ）、外光手段４１によって検出した外光の照度のみが記憶手段５に記憶された外光の照度の閾値以上であるので、遮光手段７を最短(ａ１)に突出させ(ステップＳ４)、これに伴い表示手段２を１段階角度調節する(ステップＳ５)。
【００２５】
ステップＳ３において外光検出手段４２によって検出された外光の照度が記憶手段５に記憶された外光の照度の閾値以上であること検出がされると（ステップＳ３のＹ）、外光比較手段６は、次に、外光検出手段４３において検出された外光の照度が記憶手段５に記憶された外光の照度の閾値以上であるかを検出する(ステップＳ６)。ステップＳ６において外光検出手段４３によって検出された外光の照度が記憶手段５に記憶された外光の照度の閾値以下であること検出がされると（ステップＳ６のＮ）、外光手段４１、４２によって検出した外光の照度が記憶手段５に記憶された外光の照度の閾値以上であるので、遮光手段７を中間の位置(ａ２)に突出させ(ステップＳ７)、これに伴い表示手段２を２段階角度調節する(ステップＳ８)。
【００２６】
ステップＳ６において、外光検出手段４３によって検出された外光の照度が記憶手段５に記憶された外光の照度の閾値以上であることが検出がされると（ステップＳ６のＹ）、外光検出手段４１，４２，４３すべてで検出した外光の照度が記憶手段５に記憶された外光の照度の閾値以上であるため遮光手段７を最長(ａ３)に突出させ(ステップＳ９)、これに伴い表示手段２を３段階角度調節する(ステップＳ１０)。
【００２７】
なお、本発明では、車載用表示装置１０が起動された状態では常時外光検出手段４１，４２，４３入射する外光の照度を検出するものとする。
【００２８】
また、本実施例では、車載用表示装置として記載したがこれに限ることはなく、車載用ナビゲーション装置としても使用可能とする。
【図面の簡単な説明】
【００２９】
【図１】本発明の車載用表示装置における全体構成を示したブロック図である。
【図２】本発明の車載用表示装置の正面図である。
【図３】本発明の車載用表示装置を側方から見た場合の遮光手段の動作説明図である。
【図４】本発明の車載用表示装置を側方から見た場合の遮光手段の動作説明図である。
【図５】本発明の車載用表示装置における遮光手段の動作を示すフローチャート図である。
【図６】本発明の車載表示装置における表示手段の角度調節の動作を示した図である。
【符号の説明】
【００３０】
１・・・制御手段
２・・・表示手段
３・・・入力手段
４・・・外光検出手段
５・・・記憶手段
６・・・外光比較手段
７・・・遮光手段
８・・・ＲＡＭ
９・・・ＲＯＭ
１０・・車載用表示装置
１１・・収納部
１２・・結合部
【図１】
2008087520.tif 000003
【図２】
2008087520.tif 000004
【図３】
2008087520.tif 000005
【図４】
2008087520.tif 000006
【図５】
2008087520.tif 000007
【図６】
2008087520.tif 000008